(57)【特許請求の範囲】
【請求項１】
二つの分割磁心を突き合わせて閉磁路を形成した閉磁路磁心と、前記分割磁心に絶縁皮膜付き導線を巻回した巻線と、前記巻線から引き出した引き出し線と、前記分割磁心に固定するとともに前記引き出し線を接続した端子とを備え、二つの前記分割磁心は、巻軸部の上下端に鍔を設け、この下端の鍔にこの下端の鍔の側面から前記巻軸部の対向面までスリットを形成するとともに上下端の前記鍔の側面に平面部を形成しており、巻線は前記巻軸部の外周に巻回しており、二つの前記分割磁心の前記平面部を突き合わせて閉磁路を形成したトランス。
【請求項２】
二つの分割磁心は、Ｍｎ系のフェライト材で形成した請求項１に記載のトランス。
【請求項３】
二つの分割磁心は、Ｎｉ系のフェライト材で形成した請求項１に記載のトランス。
【請求項４】
二つの分割磁心は、一方の分割磁心をＭｎ系のフェライト材で形成するとともに他方をＮｉ系のフェライト材で形成した請求項１に記載のトランス。
【請求項５】
二つの分割磁心の内いずれか一方は、巻軸部の断面形状を円形状にした請求項１に記載のトランス。
【請求項６】
二つの分割磁心の内いずれか一方は、巻軸部の断面形状を偏平形状にした請求項１に記載のトランス。
【請求項７】
分割磁心の上端の鍔の上面または下端の鍔の底面に、前記巻軸部の回転軸上に回転中心を有した形状にするとともに、前記巻軸部側に凹陥した凹陥部を形成した請求項１に記載のトランス。
【請求項８】
二つの分割磁心の下端の鍔の底面に、前記鍔の側面側が開口した凹部を形成し、前記凹部に端子の一端を嵌装して固定した請求項１に記載のトランス。
【請求項９】
凹部に固定した端子の一端は、表面に絶縁層を設けた請求項７に記載のトランス。
【請求項１０】
二つの分割磁心の上下端の鍔の側面には、平面部の両端の近傍に、上下端の鍔の側面から前記平面部と平行な方向に切欠部を形成した請求項１に記載のトランス。
【請求項１１】
二つの分割磁心のいずれか一方で、かつ、上端の鍔もしくは下端の鍔のいずれか一方には、上端の鍔と下端の鍔とが対向する面に、巻軸部の高さよりも低い寸法の中脚部を設けた請求項１に記載のトランス。
【請求項１２】
分割磁心の下端の鍔のスリットの周囲に、引き出し線の径寸法よりも大きい寸法の深さに凹欠した凹欠部を形成した請求項１に記載のトランス。
【請求項１３】
凹欠部の底面から突出した突起部を形成した請求項１に記載のトランス。
【発明の詳細な説明】
【０００１】
【発明の属する技術分野】
本発明は、各種電子機器等に用いられるトランスに関するものである。
【０００２】
【従来の技術】
近年の電子機器の薄型化、小型化に伴い、電子機器に搭載されるトランスに対しても薄型化、小型化の要求があった。
【０００３】
以下、薄型化、小型化した従来のトランスについて図面を参照しながら説明する。
【０００４】
図７は従来のトランスの斜視図、図８は同トランスの分解斜視図、図９は同トランスの図７におけるＡ−Ａ線の断面図である。
【０００５】
図７〜図９において、従来のトランスは、巻軸１の中央に貫通孔２を有するとともに上下端に鍔３を設けた二つのコイルボビン４と、巻軸１の外周に巻回した巻線５と、コイルボビン４の貫通孔２に挿通するとともに二つの分割磁心６を突き合わせて閉磁路を形成した閉磁路磁心７と、二つのコイルボビン４の端部に植設するとともに巻線５と接続した端子８を備えていた。
【０００６】
そして、閉磁路磁心７は、二つの磁脚８を連接脚９で連接した断面コ字形状の分割磁心と平板状の分割磁心１０とを突き合わせて形成しており、このとき、一方のコイルボビン４の貫通孔２に一方の磁脚８を挿通しており、他方のコイルボビン４の貫通孔２に他方の磁脚８を挿通してトランスを構成していた。
【０００７】
【発明が解決しようとする課題】
上記従来の構成では、巻線５を巻回したコイルボビン４と分割磁心６とを組み合わせてトランスを構成しているので、トランスの外形寸法にコイルボビン４の肉厚寸法と、コイルボビン４と分割磁心５との組み合わせ上のクリアランス寸法が加わり、トランスの薄型化、小型化に限界があり大幅な薄型化、小型化ができないという問題点を有していた。
【０００８】
本発明は上記従来の問題点を解決するもので、トランスの外形寸法にコイルボビンの肉厚寸法と、コイルボビンと分割磁心との組み合わせ上のクリアランス寸法とが加わることをなくして、大幅な薄型化、小型化を可能にしたトランスを提供することを目的としている。
【０００９】
【課題を解決するための手段】
本発明の請求項１に記載の発明は、特に、二つの分割磁心は、巻軸部の上下端に鍔を設けるとともに上下端の鍔の側面に平面部を形成しており、巻線は巻軸部の外周に巻回しており、二つの分割磁心の平面部を突き合わせて閉磁路を形成した構成である。
【００１０】
上記構成により、分割磁心の上下端に鍔を設け、この下端の鍔にこの下端の鍔の側面から前記巻軸部の対向面までスリットを形成するとともに上下端の鍔の側面に平面部を形成しているので、従来のコイルボビンを備えなくても直接分割磁心の巻軸部の外周に巻線を巻回することができ、分割磁心の平面部を突き合わせれば閉磁路を形成することができる。
【００１１】
このとき特に、コイルボビンを用いていないので、コイルボビンの肉厚寸法と、コイルボビンと分割磁心との組み合わせ上のクリアランスの寸法とが、トランスの高さ寸法と平面方向の寸法とに加わることをなくすことができる。
【００１２】
また、巻線の巻軸部側の引き出し線を、分割磁心の下端の鍔に形成したスリットを通して引き出せば、巻線と引き出し線のクロスオーバーをなくすことができる。
【００１３】
本発明の請求項２に記載の発明は、特に、二つの分割磁心は、Ｍｎ系のフェライト材で形成した構成である。
【００１４】
上記構成により、Ｍｎ系のフェライト材はコアロスが小さいので、効率の良いトランスを構成できる。
【００１５】
本発明の請求項３に記載の発明は、特に、二つの分割磁心は、Ｎｉ系のフェライト材で形成した構成である。
【００１６】
上記構成により、Ｎｉ系のフェライト材は絶縁抵抗が高いので、巻線に入力する電圧または出力する電圧が高電圧の場合でも、巻線と分割磁心の絶縁性を損なうことがなく、高電圧のトランスを構成することができる。
【００１７】
本発明の請求項４に記載の発明は、特に、二つの分割磁心は、一方の分割磁心をＭｎ系のフェライト材で形成するとともに他方をＮｉ系のフェライト材で形成した構成である。
【００１８】
上記構成により、一方の分割磁心をコアロスの小さいＭｎ系のフェライト材で形成し、他方の分割磁心を絶縁抵抗の高いＮｉ系のフェライト材で形成しているので、Ｍｎ系のフェライト材で形成した分割磁心に低電圧の巻線を巻回し、Ｎｉ系のフェライト材で形成した分割磁心に高電圧の巻線を巻回すれば、高電圧に対応した効率の良いトランスを構成できる。
【００１９】
本発明の請求項５に記載の発明は、特に、二つの分割磁心の内いずれか一方は、巻軸部の断面形状を円形状にした構成である。
【００２０】
上記構成により、分割磁心の巻軸部の断面形状を円形状にしているので、巻軸部に導線を巻回するときに導線にかかる応力を小さくすることができる。
【００２１】
本発明の請求項６に記載の発明は、特に、二つの分割磁心の内いずれか一方は、巻軸部の断面形状を偏平形状にした構成である。
【００２２】
上記構成により、分割磁心の断面形状を偏平形状にしているので、二つの分割磁心を突き合わせて閉磁路磁心を形成したときの、底面積を小さくすることができる。
【００２３】
本発明の請求項７に記載の発明は、特に、分割磁心の上端の鍔の上面または下端の鍔の底面に、巻軸部の回転軸上に回転中心を有した形状にするとともに、巻軸部側に凹陥した凹陥部を形成した構成である。
【００２４】
上記構成により、分割磁心の巻軸部の回転軸上に回転中心を有した形状の凹陥部を形成しているので、巻線機のシャフトの先端形状を凹陥部の形状に合致した形状に形成すれば、巻線機のシャフトに分割磁心の凹陥部を嵌装することができ、分割磁心に容易に巻線を巻回することができる。
【００２５】
本発明の請求項８に記載の発明は、特に、二つの分割磁心の下端の鍔の底面に、鍔の側面側が開口した凹部を形成し、凹部に端子の一端を嵌装して固定した構成である。
【００２６】
上記構成により、分割磁心の底面に形成した凹部に、端子の一端を嵌装して固定しているので、分割磁心の底面から端子が突出することがなく、トランスの高さ寸法を高くすることを防止できる。
【００２７】
本発明の請求項９に記載の発明は、特に、凹部に固定した端子の一端は、表面に絶縁層を設けた構成である。
【００２８】
上記構成により、凹部に固定した端子の一端は、表面に絶縁層を設けているので、端子と分割磁心との絶縁性を向上できる。
【００２９】
本発明の請求項１０に記載の発明は、特に、二つの分割磁心の上下端の鍔の側面には、平面部の両端の近傍に、上下端の鍔の側面から平面部と平行な方向に切欠部を形成した構成である。
【００３０】
上記構成により、二つの分割磁心の平面部の両端の近傍に切欠部を設けているので、平面部を突き合わせる方向に二つの分割磁心の切欠部を挟持すれば、二つの分割磁心の平面部を的確に突き合わせることができる。
【００３１】
本発明の請求項１１に記載の発明は、特に、二つの分割磁心のいずれか一方で、かつ、上端の鍔もしくは下端の鍔のいずれか一方には、上端の鍔と下端の鍔とが対向する面に、巻軸部の高さよりも低い寸法の中脚部を設けた構成である。
【００３２】
上記構成により、一方の分割磁心に巻回した巻線が発生した磁束が、他方の巻線を巻回した巻軸部を通る磁路と中脚部を通る磁路に分かれるので、中脚部を通る磁束が漏洩磁束となり、二つの分割磁心の巻軸に巻回した巻線の磁気結合を小さくして漏洩型のトランスを構成できる。
【００３３】
本発明の請求項１２に記載の発明は、特に、分割磁心の下端の鍔のスリットの周囲に、引き出し線の径寸法よりも大きい寸法の深さに凹欠した凹欠部を形成した構成である。
【００３４】
上記構成により、凹欠部の深さを引き出し線の径の寸法より大きくしているので、引き出し線を凹欠部を通して引き出せば、引き出し線が分割磁心底面から突出することをなくすことができる。
【００３５】
本発明の請求項１３に記載の発明は、特に、凹欠部の底面から突出した突起部を形成した構成である。
【００３６】
上記構成により、凹欠部の底面に突起部を形成しているので、引き出し線を突起部に引き掛けて引き出せば、引き出し線を的確に位置決めできる。
【００３７】
【発明の実施の形態】
以下、本発明の一実施の形態を用いて、全請求項に記載の発明について図面を参照しながら説明する。
【００３８】
図１は本発明の一実施の形態のトランスの斜視図、図２は同トランスの底面側斜視図、図３は同トランスの底面側分解斜視図、図４は図１におけるＢ−Ｂ線の断面図、図５は図４におけるＣ部拡大図である。
【００３９】
図１〜図５において、本発明の一実施の形態におけるトランスは、二つの分割磁心２１を突き合わせて閉磁路を形成した閉磁路磁心２２と、分割磁心２１に絶縁皮膜付き導線を巻回した巻線２３と、巻線２３から引き出した引き出し線２４と、分割磁心２１に固定するとともに引き出し線２４を接続した端子２５とを備えている。
【００４０】
また、巻線２３は、一方の分割磁心２１に低電圧の入力電圧を入力する低電圧側の巻線２９と、他方の分割磁心２１に低電圧の入力電圧を電圧変換して高電圧を出力する高電圧側の巻線３０を巻回しており、高電圧側の巻線３０は低電圧側の巻線２９に比べて細い径の導線を巻回数を多くして巻回している。
【００４１】
そして、特に、二つの分割磁心２１は、巻軸部２６の上下端に鍔２７を設けるとともに上下端の鍔２７の側面に平面部２８を形成しており、二つの分割磁心２１の平面部２８を突き合わせて閉磁路を形成している。
【００４２】
また、二つの分割磁心２１は、一方の分割磁心２１をＭｎ系のフェライト材で形成するとともに他方の分割磁心２１をＮｉ系のフェライト材で形成しており、低電圧側の巻線２９をＭｎ系のフェライト材で形成した分割磁心２１に巻回しており、高電圧側の巻線３０をＮｉ系のフェライト材で形成した分割磁心２１に巻回している。
【００４３】
そして、分割磁心２１の上端の鍔２７の上面に、巻軸部２６の回転軸４１上に回転中心を有した四角形状にするとともに、巻軸部２６側に凹陥した凹陥部４２を形成している。
【００４４】
さらに、低電圧側の巻線２９を巻回した分割磁心２１の巻軸部２６の断面形状を円形状にし、高電圧側の巻線３０を巻回した分割磁心２１の巻軸部２６の断面形状を偏平形状にしている。
【００４５】
また、二つの分割磁心２１の下端の鍔２７の底面に、鍔２７の側面側が開口した凹部３１を形成し、凹部３１に端子２５の一端を嵌装して固定しており、凹部３１に固定した端子２５の一端は、表面に絶縁層３２を設けている。
【００４６】
そして、二つの分割磁心２１の上下端の鍔２７の側面には、平面部２８の両端の近傍に、上下端の鍔２７の側面から平面部２８と平行な方向に切欠部３３を形成しており、平面部２８に接着剤を塗布するとともに、二つの分割磁心２１の平面部２８を突き合わせる方向に、二つの分割磁心２１に設けた切欠部３３を挟持して、二つの分割磁心２１を接着固定している。
【００４７】
さらに、低電圧側の巻線２９を巻回した分割磁心２１の上端の鍔２７には、上端の鍔２７と下端の鍔２７とが対向する面に、巻軸部２６の高さよりも低い寸法の中脚部３４を設けている。
【００４８】
また、高電圧側の巻線３０を巻回した分割磁心２１の下端の鍔２７に、下端の鍔２７の側面から巻軸部２６の対向面までスリット３５を形成しており、このスリット３５を通して巻軸部２６側の引き出し線２４を引き出している。
【００４９】
そして、スリット３５の周囲に、引き出し線２４の径寸法よりも大きい寸法の深さに凹欠した凹欠部３６を形成しており、この凹欠部３６に引き出し線２４を配置している。
【００５０】
さらに、凹欠部３６の底面から突出した突起部３７を形成しており、この突起部３７に引き出し線２４を引き掛けして引き出し線２４を引き出してトランス３９を構成している。
【００５１】
このようなトランス３９を、例えば液晶表示装置の背面照明に使用する冷陰極放電管４０の点灯装置に使用したときの回路図を図６に示す。
【００５２】
図６において、高周波の低電圧を発生する電源部３８にトランス３９の低電圧側の巻線２９を接続し、トランス３９の高電圧側の巻線３０に冷陰極放電管４０を接続し、電源部３８側、冷陰極放電管４０側をそれぞれ接地している。
【００５３】
そして、電源部３８から入力した高周波の低電圧を高電圧に電圧変換して冷陰極放電管４０を点灯している。
【００５４】
上記構成のトランス３９について、以下その動作を説明する。
【００５５】
上記構成により、分割磁心２１の上下端に鍔２７を設けるとともに上下端の鍔２７の側面に平面部２８を形成しているので、従来のコイルボビン４を備えなくても直接分割磁心２１の巻軸部２６に巻線を巻回することができ、分割磁心２１の平面部２８を突き合わせれば閉磁路を形成することができる。
【００５６】
このとき、特に、コイルボビン４を用いていないので、コイルボビン４の肉厚寸法と、コイルボビン４と分割磁心２１との組み合わせ上のクリアランスの寸法とが、トランス３９の高さ寸法と平面方向の寸法とに加わることを無くすことができる。
【００５７】
また、一方の分割磁心２１をコアロスの小さいＭｎ系のフェライト材で形成するとともに他方の分割磁心２１を絶縁抵抗の高いＮｉ系のフェライト材で形成しているので、高電圧に対応できるとともにトランス３９の効率を向上することができる。
【００５８】
そして、分割磁心２１の巻軸部２６の回転軸４１上に回転中心を有した四角形状の凹陥部４２を形成しているので、巻線機のシャフトの先端形状を凹陥部４２の形状に合致した形状に形成すれば、巻線機のシャフトに分割磁心２１の凹陥部４２を嵌装することができ、分割磁心２１に容易に巻線２１を巻回することができる。
【００５９】
さらに、高電圧側の巻線３０を巻回した分割磁心２１の巻軸部２６の断面形状を円形状にしているので、巻軸部２６に高電圧側の細い導線を巻回するときの導線に掛かる応力を小さくすることができる。
【００６０】
また、低電圧側の巻線２９を巻回した分割磁心２１の断面形状を偏平形状にしているので、他方の分割磁心２１と突き合わせて閉磁路磁心２２を形成したときの、底面積を小さくすることができる。
【００６１】
そして、分割磁心２１の下端の鍔２７の底面に、鍔２７の側面側が開口した凹部３１を形成し、凹部３１に端子２５の一端を嵌装して固定しているので、分割磁心２１の底面側の方向に端子２５が突出することがなく、トランス３９の高さ寸法を高くすることを防止できる。
【００６２】
さらに、凹部３１に固定した端子２５の一端は、表面に絶縁層３２を設けているので、端子２５と分割磁心２１との絶縁性を向上できる。
【００６３】
また、二つの分割磁心２１の平面部２８の両端の近傍に切欠部３３を設けているので、平面部２８を突き合わせる方向に二つの分割磁心２１の切欠部３３を挟持すれば、二つの分割磁心２１の平面部２８を的確に突き合わせることができる。
【００６４】
そして、低電圧側の巻線２９を巻回した分割磁心２１の上端の鍔２７で、かつ、上端の鍔２７と下端の鍔２７とが対向する面に、巻軸部２６の高さよりも低い寸法の中脚部３４を設けているので、中脚部３４に通る磁束が漏洩磁束となり、この漏洩磁束による漏洩インダクタンスが負性特性である冷陰極蛍光管を点灯するときの安定器として作用して、冷陰極放電管４０を点灯することができる。
【００６５】
さらに、高電圧側の巻線３０を巻回した分割磁心２１の下端の鍔２７に、下端の鍔２７の側面から巻軸部２６までスリット３５を形成しているので、巻線の巻軸部２６側の引き出し線２４を、分割磁心２１の下端の鍔２７に形成したスリット３５を通して引き出せば、巻線と引き出し線２４のクロスオーバーをなくすことができる。
【００６６】
また、スリット３５の周囲に、引き出し線２４の径寸法よりも大きい寸法の深さに凹欠した凹欠部３６を形成しているので、引き出し線２４を凹欠部３６を通して引き出せば、引き出し線２４が分割磁心２１底面から突出することをなくすことができる。
【００６７】
そして、凹欠部３６の底面から突出した突起部３７を形成しているので、引き出し線２４を突起部３７に引き掛けて引き出せば、引き出し線２４を的確に位置決めできる。
【００６８】
このように、本発明の一実施の形態のトランス３９によれば、二つの分割磁心２１は、巻軸部２６の上下端に鍔２７を設けるとともに上下端の鍔２７の側面に平面部２８を形成しており、巻線は巻軸部２６の外周に巻回しており、二つの分割磁心２１の平面部２８を突き合わせて閉磁路を形成したことにより、従来のコイルボビン４を用いていないので、コイルボビン４の肉厚寸法と、コイルボビン４と分割磁心２１との組み合わせ上のクリアランスの寸法とが、トランス３９の高さ寸法と平面方向の寸法とに加わることをなくすことができるので、トランス３９を大幅に薄型化、小型化できる。
【００６９】
また、一方の分割磁心２１をコアロスの小さいＭｎ系のフェライト材で形成するとともに他方の分割磁心２１を絶縁抵抗の高いＮｉ系のフェライト材で形成しているので、高電圧に対応できるとともにトランス３９の効率を向上することができる。
【００７０】
そして、分割磁心２１の巻軸部２６の回転軸４１上に回転中心を有した四角形状の凹陥部４２を形成しているので、巻線機のシャフトの先端形状を凹陥部４２の形状に合致した形状に形成すれば、分割磁心２１を巻線機に容易に装着することができ、分割磁心２１に容易に巻線２３を巻回するときの生産性を向上することができる。
【００７１】
さらに、高電圧側の巻線３０を巻回した分割磁心２１の巻軸部２６の断面形状を円形状にしたことにより、巻軸部２６に導線を巻回するときの導線にかかる応力を小さくすることができるので、導線が断線したり巻線状態が乱れることを抑制できる。
【００７２】
また、低電圧側の巻線２９を巻回した分割磁心２１の断面形状を偏平形状にしたことにより、他方の分割磁心２１と突き合わせて閉磁路磁心２２を形成したときの、底面積を小さくすることができるので、トランス３９を小型化できる。
【００７３】
そして、分割磁心２１の下端の鍔２７の底面に、鍔２７の側面側が開口した凹部３１を形成し、凹部３１に端子２５の一端を嵌装して固定したことにより、分割磁心２１の底面側の方向に端子２５が突出することがないので、トランス３９の高さ寸法を高くすることを防止できる。
【００７４】
さらに、凹部３１に固定した端子２５の一端は、表面に絶縁層３２を設けたことにより、端子２５と分割磁心２１との絶縁性を向上できる。
【００７５】
また、二つの分割磁心２１の平面部２８の両端の近傍に切欠部３３を設けたことにより、平面部２８を突き合わせる方向に二つの分割磁心２１の切欠部３３を挟持すれば、二つの分割磁心２１の平面部２８を的確に突き合わせることができるので、分割磁心２１の平面部２８を突き合わせて閉磁路を構成するときの作業性を向上できる。
【００７６】
そして、低電圧側の巻線２９を巻回した分割磁心２１の上下端の鍔２７が対向した面の上端の鍔２７側に、巻軸部２６の高さよりも低い寸法の中脚部３４を設けたことにより、中脚部３４を通る磁束が漏洩磁束となり、この漏洩磁束による漏洩インダクタンスが負性特性である冷陰極放電管４０の安定器として作用するので、冷陰極放電管４０点灯装置のバラストコンデンサ等の安定器を省略することができる。
【００７７】
さらに、高電圧側の巻線３０を巻回した分割磁心２１の下端の鍔２７に、下端の鍔２７の側面から巻軸部２６までスリット３５を形成したことにより、巻線と引き出し線２４のクロスオーバーを無くすことができ、引き出し線２４と巻線とのレアーショートを抑制できる。
【００７８】
また、高電圧側の巻線３０を巻回した分割磁心２１の下端の鍔２７のスリット３５の周囲に、引き出し線２４の径寸法よりも大きい寸法の深さに凹欠した凹欠部３６を形成したことにより、引き出し線２４が分割磁心２１底面から突出することがなくなるので、製造工程において、引き出し線２４を引っ掛けて引き出し線２４が断線することを抑制できる。
【００７９】
そして、凹欠部３６の底面から突出した突起部３７を形成したことにより、引き出し線２４を突起部３７に引き掛けて引き出せば、引き出し線２４を的確に位置決めできるので、引き出し線２４の断線をより抑制できる。
【００８０】
尚、本実施の形態では、二つの分割磁心２１は、一方をＭｎ系のフェライト材で形成するとともに他方をＮｉ系のフェライト材で形成したもので説明したが、二つの分割磁心２１をＭｎ系のフェライト材で形成すれば、低電圧入力−低電圧出力のトランス３９において、トランス３９の効率をより向上することができる。
【００８１】
また、二つの分割磁心２１をＮｉ系のフェライト材で形成すれば、低電圧側の巻線２９と分割磁心２１間の絶縁性を向上することができ、入力電圧の高電圧化にも対応できる。
【００８２】
【発明の効果】
以上のように本発明は、二つの分割磁心は、巻軸部の上下端に鍔を設けるとともに上下端の鍔の側面に平面部を形成しており、巻線は巻軸部の外周に巻回しており、二つの分割磁心の平面部を突き合わせて閉磁路を形成したことにより、従来のコイルボビンを備えなくても直接分割磁心の磁脚部に巻線を巻回することができ、分割磁心の平面部を突き合わせれば閉磁路を形成することができるので、トランスの外形寸法にコイルボビンの肉厚寸法と、従来のコイルボビンと分割磁心との組み合わせ上のクリアランス寸法とが加わることをなくして、大幅な薄型化、小型化を可能にしたトランスを提供することができる。
【図面の簡単な説明】
【図１】  本発明の一実施の形態におけるトランスの斜視図
【図２】  同底面側の斜視図
【図３】  同底面側の分解斜視図
【図４】  図１におけるＢ−Ｂ線の断面図
【図５】  図４におけるＢ部拡大図
【図６】  同使用例を示す冷陰極放電管点灯回路図
【図７】  従来のトランスの斜視図
【図８】  同分解斜視図
【図９】  図７におけるＡ−Ａ線の断面図
【符号の説明】
２１  分割磁心
２２  閉磁路磁心
２３  巻線
２４  引き出し線
２５  端子
２６  巻軸部
２７  鍔
２８  平面部
２９  低電圧側の巻線
３０  高電圧側の巻線
３１  凹部
３２  絶縁層
３３  切欠部
３４  中脚部
３５  スリット
３６  凹欠部
３７  突起部
３８  電源部
３９  トランス
４０  冷陰極放電管
４１  回転軸
４２  凹陥部
【図１】
0003858745.tif 000002
【図２】
0003858745.tif 000003
【図３】
0003858745.tif 000004
【図４】
0003858745.tif 000005
【図５】
0003858745.tif 000006
【図６】
0003858745.tif 000007
【図７】
0003858745.tif 000008
【図８】
0003858745.tif 000009
【図９】
0003858745.tif 000010